(57)【要約】【課題】  ワイヤハーネスを外して不正に取り付けられる「ぶら下がり基板」を検出する。【解決手段】  メイン基板１０に、予め定められた信号を発信する発信回路１０ａと、発信回路の出力信号を検出する検出回路１０ｂとを設ける。メイン基板の発信回路から周辺基板へワイヤハーネスＷＨを通して前記信号を送出し、前記信号は周辺基板ＰＢで折り返されてワイヤーハーネスＷＨを通してメイン基板へ戻される。検出回路は、周辺基板から戻された前記信号を監視し、前記信号を検出しなくなったとき、その旨の信号をＣＰＵへ送る。ＣＰＵは、ＲＡＭにワイヤハーネスＷＨが外された旨のフラグを書き込む。ＣＰＵは、電源オン時にＲＡＭを調べ、前記フラグが書き込まれていたときに異常と判定し、その旨を報知する。【選択図】        図４
2008142483.tif 000002
【特許請求の範囲】
【請求項１】
遊技に係る抽選処理を行うメイン基板と、スイッチ又はセンサの出力を前記メイン基板へ送出する周辺基板と、前記周辺基板を前記メイン基板に電気的に接続するワイヤハーネスとを備える遊技機において、
前記メイン基板は、予め定められた信号を発信する発信回路と、前記発信回路の出力信号を検出する検出回路と、前記検出回路の出力に基づき予め定められた処理を実行する処理部と、少なくとも所定のフラグを保持する記憶部とを備え、
前記メイン基板の前記発信回路から前記周辺基板へ前記ワイヤハーネスを通して前記信号が送出され、前記信号は前記周辺基板で折り返されて前記ワイヤーハーネスを通して前記メイン基板へ戻され、
前記検出回路は、前記周辺基板から戻された前記信号を監視し、前記信号を検出しなくなったとき、その旨の信号を前記処理部へ送り、
前記処理部は、前記信号を検出しなくなった旨の信号を受けて、前記記憶部に予め定められたフラグを書き込む処理を実行し、
前記処理部は、予め定められたタイミングで、前記記憶部に前記フラグが保持されているかどうか判定し、前記フラグが書き込まれていたときに異常と判定することを特徴とする遊技機。
【請求項２】
遊技に係る抽選処理を行うメイン基板と、スイッチ又はセンサの出力を前記メイン基板へ送出する周辺基板と、前記周辺基板を前記メイン基板に電気的に接続するワイヤハーネスとを備える遊技機において、
前記周辺基板は、予め定められた信号を発信する発信回路を備え、
前記メイン基板は、前記発信回路の出力信号を検出する検出回路と、前記検出回路の出力に基づき予め定められた処理を実行する処理部と、少なくとも所定のフラグを保持する記憶部とを備え、
前記周辺基板の前記発信回路から前記メイン基板へ前記ワイヤハーネスを通して前記信号が送出され、
前記メイン基板の前記検出回路は、前記周辺基板から受けた前記信号を監視し、前記信号を検出しなくなったとき、その旨の信号を前記処理部へ送り、
前記処理部は、前記信号を検出しなくなった旨の信号を受けて、前記記憶部に予め定められたフラグを書き込む処理を実行し、
前記処理部は、予め定められたタイミングで、前記記憶部に前記フラグが保持されているかどうか判定し、前記フラグが書き込まれていたときに異常と判定することを特徴とする遊技機。
【請求項３】
電源断時に電力を供給するためのバックアップ電源を備え、
前記バックアップ電源の電力は、前記発信回路、前記検出回路、前記処理部及び前記記憶部に供給されることを特徴とする請求項１又は請求項２記載の遊技機。
【請求項４】
前記処理部は、電源投入のタイミングで、前記記憶部に前記フラグが保持されているかどうか判定することを特徴とする請求項３記載の遊技機。
【請求項５】
前記メイン基板は、前記バックアップ電源の出力電圧を監視し、これが予め定められた閾値よりも低くなったときに信号を出力する電圧低下検出器を備え、
前記処理部は、少なくとも電源断のときに前記電圧低下検出器の出力を監視し、前記電圧低下検出器から信号が出力されたとき、前記記憶部にバックアップ電源劣化を示す情報を書き込むことを特徴とする請求項３又は請求項４記載の遊技機。
【請求項６】
前記処理部は、前記記憶部に前記フラグが書き込まれていたときに、前記記憶部の内容を初期化することを特徴とする請求項１乃至請求項５いずれかに記載の遊技機。
【請求項７】
遊技に係る抽選処理を行うメイン基板と、スイッチ又はセンサの出力を前記メイン基板へ送出する周辺基板と、前記周辺基板を前記メイン基板に電気的に接続するワイヤハーネスと、予め定められた信号を発信する発信回路と、前記発信回路の出力信号を検出する検出回路と、前記検出回路の出力に基づき予め定められた処理を実行する処理部と、少なくとも所定のフラグを保持する記憶部とを備え、前記ワイヤハーネスを通して前記発信回路から前記検出回路へ前記信号が送出される遊技機において不正行為を検知する方法であって、
前記検出回路で、前記信号を監視し、前記信号を検出しなくなったとき、その旨の信号を前記処理部へ送るステップと、
前記処理部で、前記信号を検出しなくなった旨の信号を受けて、前記記憶部に予め定められたフラグを書き込むステップと、
前記記憶部で、前記フラグを保持するステップと、
前記処理部で、予め定められたタイミングで、前記記憶部に前記フラグが保持されているかどうか判定し、前記フラグが保持されていたときに異常と判定するステップと、を備える遊技機における不正行為の検知方法。
【請求項８】
遊技に係る抽選処理を行うメイン基板と、スイッチ又はセンサの出力を前記メイン基板へ送出する周辺基板と、前記周辺基板を前記メイン基板に電気的に接続するワイヤハーネスと、予め定められた信号を発信する発信回路と、前記発信回路の出力信号を検出する検出回路とを備え、前記ワイヤハーネスを通して前記発信回路から前記検出回路へ前記信号が送出される遊技機において不正行為を検知する方法をコンピュータに実行させるためのプログラムであって、
前記検出回路の出力に基づき前記信号を監視するステップと、
前記検出回路で前記信号を検出しなくなったとき、前記記憶部に予め定められたフラグを書き込むステップと、
予め定められたタイミングで、前記記憶部に前記フラグが保持されているかどうか判定するステップと、
前記フラグが保持されていたときに異常と判定し、その旨を報知するステップと、をコンピュータに実行させるためのプログラム。
【発明の詳細な説明】
【技術分野】
【０００１】
この発明は、スロットマシンなどの遊技機及び遊技機における不正行為の検知方法並びに当該方法をコンピュータに実行させるためのプログラムに関し、特に、ワイヤハーネスの不正な取り外しを防止するための技術に関する。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その筐体内部に、遊技媒体の供給に基づいて作動させるランプ装置や音声発生装置などの様々な各種駆動装置及びこれら駆動装置を制御させるために対応させた制御回路装置を備えており、遊技者が遊技を行う際にこれらを適宜作動させることによって遊技を興趣に溢れたものとしている。また、近年では、所定の識別情報（図柄）を変動表示し得るリール表示装置または液晶画像表示装置等の図柄可変表示装置を内蔵し、所定条件を満たしたときに識別情報を変動させた後に停止表示させるように図柄可変表示装置を作動させるものが主流となっている。これらの装置は制御回路装置によって制御されている。
【０００３】
最近の遊技機の内部に配設されている制御回路装置は、基板上に設けられたＣＰＵ（ｃｅｎｔｒａｌ ｐｒｏｃｅｓｓｉｎｇ ｕｎｉｔ）が、制御プログラムに従って電子制御を行うものが一般的である。制御プログラムは、マスクＲＯＭ（ｒｅａｄ ｏｎｌｙ ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
遊技場に設置される遊技機は、制御プログラムが不正に改変されないよう管理されており、制御回路装置（メイン基板）を収納ケースに収納し、その収納ケースを、本体枠の所定部材に組み付けるなどして、メイン基板及び制御プログラムを記憶するＲＯＭが不正に交換されないように配慮がなされている。さらに、ＲＯＭには封印シールが貼付されるなどして、装着されている基板上から容易に外すことができないようになっている。
【０００５】
【特許文献１】特開２００４−３５８０７６号公報  この公報は、制御プログラムの不正な改変を確実に防止することを目的とし、メイン基板を収納するカバーの開放を検出する検出手段（スイッチ）を設け、カバーの開放を検出したときその旨を報知することを開示する。
【発明の開示】
【発明が解決しようとする課題】
【０００６】
特許文献１では、カバーの開放を検出し報知するために、当該カバーにスイッチを備えていた。メイン基板の交換の前に必ずカバーを開ける必要があることに着目し、特許文献１は、当該スイッチの出力に基づきメイン基板又はＲＯＭの交換を検知するというものであった。
【０００７】
ところで、いわゆる「ぶら下がり基板」というものがある。これは、遊技機内部で基板と基板を接続するワイヤハーネスのコネクタを外して、基板の代わりに当該コネクタに接続される電子装置である。ぶら下がり基板は、例えば、スタートスイッチなどが設けられているスイッチ基板とメイン基板を結ぶワイヤハーネスに、スイッチ基板に代えて設けられる。ぶら下がり基板は、スタートスイッチの操作の有無にかかわらず、スタートスイッチ押下に相当する信号を電気的に発生し、これをメイン基板に入力することで所定の遊技処理を実行させる。ぶら下がり基板を用いれば、いちいち人間が操作することなく、自動的に繰り返し遊技を実行させることができる。このような行為は不正行為であるが、ぶら下がり基板は、例えば、繰り返し遊技を実行させることで発生確率の低い当選役に当選させ、そのときにメモリに記憶される当選フラグを保持させることで特定の遊技者に利益を誘導する、といった用途に用いられているようである。
【０００８】
ぶら下がり基板の設置を防止するためには、コネクタの取り外しやワイヤハーネスの電気的な切断などの行為を直接検知する必要があるが、特許文献１記載の技術ではそのような検知は不可能であった。
【０００９】
この発明は上記課題を解決することを目的になされたもので、ワイヤハーネス又はそのコネクタを取り外したことを確実に検知できる遊技機及び遊技機における不正行為の検知方法並びにプログラムを提供することを目的とする。
【課題を解決するための手段】
【００１０】
この発明は、遊技に係る抽選処理を行うメイン基板と、スイッチ又はセンサの出力を前記メイン基板へ送出する周辺基板と、前記周辺基板を前記メイン基板に電気的に接続するワイヤハーネスとを備える遊技機において、
前記メイン基板は、予め定められた信号を発信する発信回路と、前記発信回路の出力信号を検出する検出回路と、前記検出回路の出力に基づき予め定められた処理を実行する処理部と、少なくとも所定のフラグを保持する記憶部とを備え、
前記メイン基板の前記発信回路から前記周辺基板へ前記ワイヤハーネスを通して前記信号が送出され、前記信号は前記周辺基板で折り返されて前記ワイヤーハーネスを通して前記メイン基板へ戻され、
前記検出回路は、前記周辺基板から戻された前記信号を監視し、前記信号を検出しなくなったとき、その旨の信号を前記処理部へ送り、
前記処理部は、前記信号を検出しなくなった旨の信号を受けて、前記記憶部に予め定められたフラグを書き込む処理を実行し、
前記記憶部は、前記フラグを保持し、
前記処理部は、予め定められたタイミングで、前記記憶部に前記フラグが保持されているかどうか判定し、前記フラグが書き込まれていたときに異常と判定する、ものである。
【００１１】
この発明は、遊技に係る抽選処理を行うメイン基板と、スイッチ又はセンサの出力を前記メイン基板へ送出する周辺基板と、前記周辺基板を前記メイン基板に電気的に接続するワイヤハーネスとを備える遊技機において、
前記周辺基板は、予め定められた信号を発信する発信回路を備え、
前記メイン基板は、前記発信回路の出力信号を検出する検出回路と、前記検出回路の出力に基づき予め定められた処理を実行する処理部と、少なくとも所定のフラグを保持する記憶部とを備え、
前記周辺基板の前記発信回路から前記メイン基板へ前記ワイヤハーネスを通して前記信号が送出され、
前記メイン基板の前記検出回路は、前記周辺基板から受けた前記信号を監視し、前記信号を検出しなくなったとき、その旨の信号を前記処理部へ送り、
前記処理部は、前記信号を検出しなくなった旨の信号を受けて、前記記憶部に予め定められたフラグを書き込む処理を実行し、
前記記憶部は、前記フラグを保持し、
前記処理部は、予め定められたタイミングで、前記記憶部に前記フラグが保持されているかどうか判定し、前記フラグが書き込まれていたときに異常と判定する、ものである。
【００１２】
さらに、電源断時に電力を供給するためのバックアップ電源を備え、
前記バックアップ電源の電力は、前記発信回路、前記検出回路、前記処理部及び前記記憶部に供給されるように構成してもよい。
【００１３】
前記処理部は、電源投入のタイミングで、前記記憶部に前記フラグが保持されているかどうか判定するようにしてもよい。
【００１４】
前記メイン基板は、前記バックアップ電源の出力電圧を監視し、これが予め定められた閾値よりも低くなったときに信号を出力する電圧低下検出器を備え、
前記処理部は、少なくとも電源断のときに前記電圧低下検出器の出力を監視し、前記電圧低下検出器から信号が出力されたとき、前記記憶部にバックアップ電源劣化を示す情報を書き込むようにしてもよい。
【００１５】
前記処理部は、前記記憶部に前記フラグが書き込まれていたときに、前記記憶部の内容を初期化することが好ましい。
【００１６】
この発明は、遊技に係る抽選処理を行うメイン基板と、スイッチ又はセンサの出力を前記メイン基板へ送出する周辺基板と、前記周辺基板を前記メイン基板に電気的に接続するワイヤハーネスと、予め定められた信号を発信する発信回路と、前記発信回路の出力信号を検出する検出回路と、前記検出回路の出力に基づき予め定められた処理を実行する処理部と、少なくとも所定のフラグを保持する記憶部とを備え、前記ワイヤハーネスを通して前記発信回路から前記検出回路へ前記信号が送出される遊技機において不正行為を検知する方法であって、
前記検出回路で、前記信号を監視し、前記信号を検出しなくなったとき、その旨の信号を前記処理部へ送るステップと、
前記処理部で、前記信号を検出しなくなった旨の信号を受けて、前記記憶部に予め定められたフラグを書き込むステップと、
前記記憶部で、前記フラグを保持するステップと、
前記処理部で、予め定められたタイミングで、前記記憶部に前記フラグが保持されているかどうか判定し、前記フラグが保持されていたときに異常と判定するステップと、を備えるものである。
【００１７】
この発明は、遊技に係る抽選処理を行うメイン基板と、スイッチ又はセンサの出力を前記メイン基板へ送出する周辺基板と、前記周辺基板を前記メイン基板に電気的に接続するワイヤハーネスと、予め定められた信号を発信する発信回路と、前記発信回路の出力信号を検出する検出回路とを備え、前記ワイヤハーネスを通して前記発信回路から前記検出回路へ前記信号が送出される遊技機において不正行為を検知する方法をコンピュータに実行させるためのプログラムであって、
前記検出回路の出力に基づき前記信号を監視するステップと、
前記検出回路で前記信号を検出しなくなったとき、前記記憶部に予め定められたフラグを書き込むステップと、
予め定められたタイミングで、前記記憶部に前記フラグが保持されているかどうか判定するステップと、
前記フラグが保持されていたときに異常と判定し、その旨を報知するステップと、をコンピュータに実行させるものである。
【００１８】
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１９】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００２０】
この発明によれば、予め定められた信号を発信する発信回路と、発信回路の出力信号を検出する検出回路とを備え、前記発信回路から前記検出回路へワイヤハーネスを通して信号を送出することにより、前記検出回路の出力に基づきワイヤハーネス又はそのコネクタを取り外したことを確実に検知できる。ワイヤハーネス又はそのコネクタの取り外しを検知したときは、エラー報知を行うことで不正行為を抑止することができる。また、特定の遊技者に利益を誘導することになる当選フラグをリセットさせることなどを通じて、不正行為を失敗に終わらせることができる。
【発明を実施するための最良の形態】
【００２１】
発明の実施の形態１．
図１は前扉を閉めた状態を示す遊技機（スロットマシン）の正面図、図２は前扉を１８０度開いた状態を示す遊技機の正面図を示す。
図１及び図２中、１００は遊技機を示すもので、この遊技機１００は、図１に示すように、遊技機本体１２０と、この遊技機本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルを遊技機１００外に強制的に排出するためのリジェクトボタン１３３が設けられている。
【００２２】
また、前記ゲーム表示部１３１の左下方には、ゲームを開始するためのスタートスイッチ１３４を設けてあり、３つのリールのそれぞれに対応して３つのストップスイッチ１４０を設けてある。スタートスイッチ１３４とストップスイッチ１４０の上側のテーブル状の部分には、メダル投入に代えて操作することにより遊技可能な状態とするベットスイッチ１３７が設けてある。前扉の下端部中央には、メダルの払出し口１３５を設けてある。
前記ゲーム表示部１３１の右側には、液晶表示装置ＬＣＤが設けてある。液晶表示装置ＬＣＤは、遊技に係る演出を行うとともに、不正行為の検知を報知するものである。
【００２３】
遊技機本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。遊技機本体１２０の内部には、前扉１３０を閉めたときにゲーム表示部１３１が来る位置に三個の回転リールからなるリールユニット２０３が設置されている。ゲーム表示部１３１には開口部が設けられていて、それを通して遊技者が前記リールユニット２０３の各回転リールの図柄を見ることができるようになっている。ホッパ装置１２１の上側のリールユニット２０３との間には電源部２０５が設けられている。
【００２４】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２５】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２６】
図３は発明の実施の形態１に係る遊技機１００の機能ブロック図を示す。
この図において電源系統についての表示は省略されている。遊技機１００は、その主要な処理装置としてメイン基板１０とこれからコマンドを受けて動作するサブ基板２０とを備える。なお、少なくともメイン基板１０は、外部から接触不能となるようにケース内部に収容され、これら基板を取り外す際に痕跡が残るように封印処理が施されている。
【００２７】
メイン基板１０は、遊技者の操作を受けて内部抽選を行ったり、リールの回転・停止やメダルの払い出しなどの処理を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００２８】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。
【００２９】
メイン基板１０には、スタートスイッチ１３４，ベットスイッチ１３７、ストップボタン１４０，リールユニット（リール駆動装置を含む）２０３，リール位置検出回路７１、ホッパ駆動部８０、ホッパ８１及びホッパ８１から払い出されたメダルの枚数を数えるためのメダル検出部８２（これらは前述のホッパ装置１２１を構成する）が接続されている。また、メダルセレクタ１に内蔵され、投入されたメダルを計数するためのメダルセンサＳ１が接続されている。
【００３０】
スタートスイッチ１３４，ベットスイッチ１３７、ストップボタン１４０は、スイッチ基板ＳＷＢに設けられ、スイッチ基板ＳＷＢとメイン基板１０がワイヤハーネスＷＨで接続されている。同様に、メダルセレクタ１とメイン基板１０、メダル検出部８２とメイン基板１０もワイヤハーネスＷＨで接続されている（遊技機に用いられているワイヤハーネスＷＨは他にもあるが、発明の実施の形態１の説明に必要なもののみ図３に示した）。
【００３１】
スイッチ基板ＳＷＢ、メダルセレクタ１及びメダル検出部８２は、そこに内蔵されたスイッチ又はセンサの出力をメイン基板１０に送出するものであり、遊技処理の中心となるメイン基板１０から見れば、それらはメイン基板１０の手足となる周辺基板ＰＢに相当する。そこで、発明の実施の形態１の説明において、スイッチ基板ＳＷＢ、メダルセレクタ１及びメダル検出部８２をまとめて周辺基板ＰＢと呼ぶことにする（図３の括弧書きはこのことを意味する）。図３の３つの周辺基板ＰＢはそれぞれ機能的に異なるものであるが、発明の実施の形態１の動作を説明するうえでその機能を区別する必要がないので、以下の説明において、単に「周辺基板ＰＢ」と表現することにする。
【００３２】
サブ基板２０には液晶表示装置の制御用の液晶制御基板２００、スピーカ基板２０１、電飾用のＬＥＤ基板２０２などの周辺基板（ローカル基板）が接続されている。図３では示していないが、液晶制御基板２００には図１に示された液晶表示装置ＬＣＤが接続されている。
【００３３】
上述のように、メイン基板１０及びサブ基板２０は、ＣＰＵを中心に構成され、ＲＯＭ、ＲＡＭ、Ｉ／Ｏ等を備えている。そして、ＣＰＵが遊技者の操作を受けてＲＯＭに記憶されたプログラムを読み込むことで所定の動作を行う。具体的には、スタートスイッチ１３４及びストップボタン１４０の操作に基づきリールユニット２０３に内蔵される３つの回転リールの回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００３４】
遊技機で遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リールの斜め下方に位置するレバーであって、遊技メダルの投入を条件に、リールユニット２０３の駆動を開始させる。リールユニット２０３は、ストップボタン１４０によりその駆動が停止される。リールユニット２０３は、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００３５】
本発明の実施の形態１に係るメイン基板１０と周辺基板ＰＢ（スイッチ基板ＳＷＢ、メダルセレクタ１又はメダル検出部８２の何れか）の接続図を図４に示す。同図は本発明の実施の形態１の動作を説明するために必要な部分（太線で示されたバックアップ電源の系統と、メイン基板１０と周辺基板ＰＢの間のワイヤハーネスＷＨ）のみを示し、それ以外の部品やアドレス信号やデータ信号の表示を省略している。
【００３６】
図４に示された各要素について説明を加える。
２０５ａは電源切断時に電力を供給するためのバックアップ電源である。バックアップ電源２０５ａは、リチウム電池等の二次電池であるが、本発明は二次電池に限定されない。一次電池やコンデンサなどの蓄電器であってもよい。図４ではバックアップ電源２０５ａを電源部２０５に設けているが、同図点線で示すようにこれをメイン基板１０に設けるようにしてもよい。
【００３７】
１０ａはワイヤハーネスＷＨの取り外しを検出するための信号をワイヤハーネスＷＨへ送り込む発信回路、１０ｂはワイヤハーネスＷＨに前記信号の存在するかどうかを検出する検出回路１０ｂである。ワイヤハーネスＷＨに前記信号が存在することはワイヤハーネスＷＨは取り外されていないことに対応し、存在しないことはワイヤハーネスＷＨが取り外されていることに対応する。
【００３８】
１０ｃは少なくともバックアップ電源２０５ａから電力の供給を受けるＲＡＭ（記憶部）、１０ｄは同じく電力の供給を受けるＣＰＵ（処理部）である。ＣＰＵ１０ｄはワイヤハーネスＷＨの取り外しを判定する判定部として機能する。ＣＰＵ１０ｄはＲＡＭ１０ｃからデータ（フラグ）を読み出したり、ＲＡＭ１０ｃにデータ（フラグ）を書き込むことができる。ＣＰＵ１０ｄはサブ基板１０の演出処理用のＣＰＵと共用できるが、演出処理用のＣＰＵと別個独立に設けることもできる。ＣＰＵ１０ｄはメイン基板１０の交換の有無を判定する以外にも、バックアップ電源２０５ａの劣化を判断することもある。
【００３９】
１０ｅと２０５ｂは電源部２０５又は基板の電源（直流電圧）ＶＤＤを受けてバックアップ電源２０５ａに供給し充電を行うとともに、電源断のバックアップ時にバックアップ電源２０５ａの電流が電源ＶＤＤやメイン基板１０の図示しない回路に逆流しないようにするためのダイオードである。
【００４０】
１０ｆはバックアップ電源２０５ａの劣化（電圧低下）を検出し、その出力に基づきＣＰＵ１０ｄに割り込みをかけて所定の処理（後述）を行わせるための電圧低下検出器である。電圧低下検出器は半導体素子であって、電源電圧が予め定められた閾値よりも低下した時にこれを検出して信号（例えばリセット信号）を出力するＩＣである。
【００４１】
図４において、電源（ＶＤＤ）は、電源部２０５からメイン基板１０へ送られている。メイン基板１０の発信回路１０ａからの信号が周辺基板ＰＢへワイヤハーネスＷＨを通じて送られている。前記信号は周辺基板ＰＢにおいて折り返され、ワイヤハーネスＷＨを通じてメイン基板１０に戻される。検出回路１０ｂは、当該信号が戻されているかどうかを検出するものである。検出回路１０ｂの出力によりＣＰＵ１０ｄに割り込みがかけられる。
【００４２】
周辺基板ＰＢには、スイッチ又はセンサ（スイッチ基板ＳＷＢのスタートスイッチ１３４等又はメダルセレクタ１のメダルセンサＳ１など）が設けられており、その出力はメイン基板１０に送られる。当該出力を受けてメイン基板１０は遊技処理を行うが、これは公知の処理であるのでその説明は省略する。
【００４３】
次に、発明の実施の形態１に係る装置／方法の動作について、図４〜図９を参照して説明を加える。
【００４４】
発明の実施の形態１に係る装置／方法は、メイン基板１０のＣＰＵでワイヤハーネスＷＨを監視し、その取り外しの有無を判定するとともに、ワイヤハーネスが取り外されたときにその旨の報知を行うものである。具体的には、ワイヤハーネスＷＨに信号を常時流し、これをメイン基板１０のＣＰＵで常時監視することでワイヤハーネスＷＨの取り外しを検知するものである。遊技機の電源オフ時にもワイヤハーネスＷＨの監視ができるように、メイン基板１０のＣＰＵにはバックアップ電源２０５ａを供給するようにしている。
【００４５】
図４の構成により、ワイヤハーネスＷＨが外された場合は、これを直ちに検出することが可能である。ワイヤハーネスＷＨが外されたことを検出した場合、直ちにあるいは電源オン時（電源投入時）にエラー報知を行うと共に、通常の遊技処理を行う前にリセットが行われるか、又は、リセット待ち状態になる。リセット待ち状態では、例えば、メモリクリアをしなければ通常の遊技処理が実行されない。リセットされるとメモリに保持された当選フラグもリセットされるので、ぶら下がり基板により繰り返し遊技を実行させることで発生確率の低い入賞に当選させ、そのときにメモリに記憶される当選フラグを保持させることで特定の遊技者に利益を誘導する、といったことが不可能になり、よってぶら下がり基板による不正行為を抑止することができる。
【００４６】
図５は、電源オフ時のメイン基板１０のＣＰＵ１０ｄの処理フローチャートを示す。図６は、電源オン時のメイン基板１０のＣＰＵ１０ｄの処理フローチャートを示す。図７は、ワイヤハーネスＷＨが外された状態を示す。
【００４７】
電源スイッチがオンからオフにされると、ＣＰＵ１０ｄはスリープモード（非使用時に自動的に消費電力を抑えるための状態、プログラムの実行が休止状態にある）に突入する（Ｓ１）。
【００４８】
メイン基板１０にはバックアップ電源２０５ａが供給されているため、遊技機の電源がオフになったときに、上記のようにメイン基板１０のＣＰＵ１０ｄはスリープモードに突入するが、全く動作を行うことができないわけではない。また、電源断の間でもバックアップ電池２０５ａによりＲＡＭ１０ｃのデータは保存される。
【００４９】
図７に示すようにワイヤハーネスＷＨが外されると、発信回路１０ａの信号を検出回路１０ｂで検出できなくなる（図７の×印は信号がなくなったことを示す）。すると、検出回路１０ｂはＣＰＵ１０ｄへ信号を送り、これを契機にＣＰＵ１０ｄに対する割り込みが発生する（Ｓ２）。そして、図５のＳ３〜Ｓ５の処理が実行される。すなわち、図４のＳ２でＹＥＳと判定され、ＣＰＵ１０ｄはバックアップ電源２０５ａの電力を利用して動作を開始し（Ｓ３）、ＲＡＭ１０ｃにハーネス断線（ワイヤハーネスＷＨが取り外されたこと）を示すフラグを書き込み（Ｓ４）、その後再度スリープ状態に突入する（Ｓ５）。なお、一度割り込みがかけられると、その後ワイヤハーネスＷＨの接続が復旧しても図５のＳ３〜Ｓ５の処理が停止されることはない。
【００５０】
上述の処理により、メイン基板１０のＲＡＭ１０ｃにワイヤハーネスＷＨが外された旨（ワイヤハーネスＷＨの断線）の記録（フラグ）が残される。これにより、メイン基板１０のＣＰＵ１０ｄは次回電源投入時（起動時）にＲＡＭ１０ｃの内容からワイヤハーネスＷＨの断線を検知できる。
【００５１】
図６は電源オン時、すなわち電源投入時のメイン基板１０のＣＰＵ１０ｄの処理フローチャートである。
電源スイッチがオンになると図示しないリセット信号が発生し、その後の期間においてＣＰＵ１０ｄは初期動作を開始する。初期動作のひとつとして図６の処理を行う。
【００５２】
スリープモードを解除し（Ｓ１１）、ＲＡＭ１０ｃのフラグをチェックする（Ｓ１２）。フラグがセットされていたときはワイヤハーネスＷＨの断線（取り外し）があったと判定し（Ｓ１３でＹＥＳ）、警報を発生し、その報知を行う（Ｓ１４）。例えば、エラー信号を発生し、それを、遊技機を管理する図示しないホールコンピュータへ送るとともに、スピーカー基板２０１へ信号を送りスピーカーを鳴動させ、音響による警報を行う。さらに、液晶表示基板２００へ信号を送りエラー発生のメッセージを表示させ、ＬＥＤ基板２０２へ信号を送りアーチランプなどを点滅させる。液晶表示装置ＬＣＤにエラーメッセージを表示するようにしてもよい。このような警報は非常に目立つので、ホールの係員が直ちに知ることになる。
【００５３】
Ｓ１４の警報発生・報知は予め定められた所定時間が経過するまで継続する（Ｓ１５）。その後、警報を停止する（Ｓ１６）。そして、リセットを行う（Ｓ１７）。リセットの処理には、ＲＡＭ１０ｃのクリア（初期化）処理が含まれる。遊技機では通常ＲＡＭの内容は電源断でも保持されるようになっており、電源断の前に得た当選フラグはそのまま残っている。「ぶら下がり基板」の不正はこの点に着目したものであるので、「ぶら下がり基板」が設置されたと推定される、ワイヤハーネスＷＨの取り外しを検出したときは、Ｓ１７のようにＲＡＭクリアを行うことが好ましい。この処理により、「ぶら下がり基板」による当選フラグは消滅し、それによる利益誘導は不可能になる。なお、Ｓ１７において、ＣＰＵ１０ｄが自動的にリセットを行うことに代えて、リセット操作の要求を液晶表示装置ＬＣＤに表示し、当該操作を受けるまで通常の遊技処理を実行しないようにしてもよい。
【００５４】
仮に、Ｓ１４・Ｓ１５の警報発生中に遊技機の電源をオフにしたとしても、ワイヤハーネスＷＨの取り外しを示すフラグは残ったままであるから、警報発生してから遊技機の電源をオフにし、その後電源を再びオンにしても継続して警報を発生する。上記Ｓ１７の処理を行わない限り、ＲＡＭ１０ｃのフラグを初期化できない。こうすることで、不正行為を発見しやすくなる。
【００５５】
なお、Ｓ１５の処理に代えて、Ｓ１４で警報を発生した後は、別途、リセット等の予め定められた操作を行わない限り警報が停止しないようにしてもよい。リセットを行うためのリセットスイッチは施錠された遊技機筐体の内部に設けられていて、ホールの係員以外は操作できないようになっている。
【００５６】
また、例えばホールコンピュータによって解除しない限り、遊技の実行が不可能になるようにしてもよい。
【００５７】
さらに、上述の例では、遊技制御基板２００、スピーカ基板２０１、ＬＥＤ基板２０２に信号を送ることによって警報発生・報知を行うようにしたが、例えば遊技機の島設備（複数の遊技機が集合して配置されたもの及びそこに設けられた装置のことを言う）に設けられている大当たり回数等を表示する図示しない表示器に信号を送り、警報発生・報知を行ってもよい。
【００５８】
また、バックアップ電源２０５ａが劣化して電圧が低下したときに、警報を発するようにしてもよい。図８は、電圧低下を検出したときのＣＰＵ１０ｄの処理フローチャートを示す。
【００５９】
図４に示すように、バックアップ電源２０５ａの電圧が電圧低下検出器１０ｆに供給されている。電圧低下検出器１０ｆは、例えば内部に基準電圧源を備えるコンパレータであり、バックアップ電源２０５ａの出力が所定の閾値（例えば規定電圧値の９０％）よりも下がったときに信号を出力するものである。バックアップ電源１０ｂが劣化すると徐々に電圧が低下していく。時間が経つにつれて低下の割合が大きくなるが、いきなりゼロになることはない。残された電力で以下に述べる処理を実行することは可能である。
【００６０】
バックアップ電源２０５ａの電圧が低下すると電圧低下検出器１０ｆがそれを検出して、ＣＰＵ１０ｄに対して割り込み信号を出力する（図８のＳ２２でＹＥＳ）。その結果、ＣＰＵ１０ｄに割り込みがかけられる。そして、図８のＳ２３〜Ｓ２５の処理が実行される。すなわち、ＣＰＵ１０ｄはバックアップ電源２０５ａの電力（まだ完全に失われていない）を利用して動作を開始し（Ｓ２３）、ＲＡＭ１０ｃにバックアップ電源の劣化を示すフラグを書き込み（Ｓ２４）、その後再度スリープ状態に突入させる（Ｓ２５）。なお、一度割り込みがかけられると、その後割り込み信号がなくなっても図８の処理が停止されることはない。
【００６１】
上述の処理により、ＲＡＭ１０ｃにバックアップ電源２０５ａが劣化した旨の記録（フラグ）が残される。これにより、ＣＰＵ１０ｄは次回起動時にＲＡＭ１０ｃの内容からバックアップ電源２０５ａの劣化を検知できる。バックアップ電源２０５ａが劣化すると、電源断の期間中にバックアップ電源２０５ａからの電力で上述のワイヤハーネスＷＨが外れたことに基づく処理を実行できなくなる。バックアップ電源２０５ａの劣化を検知しこれを報知する機能を備えないと、バックアップ電源２０５ａが劣化したために不正行為が行われてもこれを検知することができない状態にあるにもかかわらず、そのまま放置されるおそれがある。これでは本発明の実施の形態１に係る装置／方法は機能せず、ホール係員の信頼を損なうことにもなりかねない。したがって、上述のようにバックアップ電源を監視し、それが劣化したときは速やかに交換するようにホール係員に促すことが望ましい。
【００６２】
図９は、バックアップ電源２０５ａが劣化した旨のフラグが記憶されているときのＣＰＵ１０ｄの電源オン時の処理フローチャートである。
【００６３】
バックアップ電源２０５ａの劣化を報知するための電源オン時の動作は、リセット処理（図６のＳ１７）が無い点を除き、前述の図６の処理フローチャートと同じであるので、その説明は省略する。
【００６４】
なお、上記説明で電源オフ時の動作（図５、図８）と電源オン時の動作（図６、図９）を区別して説明を加えたが、本発明の実施の形態１は電源オン時のワイヤハーネスＷＨの取り外しを検出することもできる。例えば、図５のＳ２乃至Ｓ６の処理は電源オン時にも実行可能である。ワイヤハーネスＷＨの取り外しを検出してすぐに、図６の処理を実行することができる。あるいは、次回の電源オン時に図６の処理を実行するようにしてもよい。
【００６５】
ところで、発信回路１０ａは、検出可能な信号（例えばＨＬデジタル信号、特定の周波数の信号（正弦波）、パルス信号など）を送信できるものであればよい。その検出回路１０ｂは、当該信号を検出できるものであればよい。当該信号はデジタル又はアナログどちらでもよい。
【００６６】
図１０に、発信回路１０ａ及び検出回路１０ｂの最も簡単な例を示す。
図１０（ａ）は、メイン基板１０でバックアップ電源（又は通常の電源ＶＤＤ）を抵抗Ｒを介して周辺基板ＰＢへ送るというものである。図１０（ａ）では、抵抗Ｒが発信回路１０ａを構成し、その信号は電源である。抵抗ＲのワイヤハーネスＷＨ側の端の電圧がＣＰＵ１０ｄへ送られる。この例では検出回路１０ｂは単なる電線で構成される。周辺基板ＰＢで当該信号は接地されているので、ワイヤハーネスＷＨが取り外されていなければ、ＣＰＵ１０ｄへ送られる信号（電圧）は接地電位（０Ｖ）である。ワイヤハーネスＷＨが取り外されると、抵抗Ｒに電流が流れないから、ＣＰＵ１０ｄへ送られる信号（電圧）は電源電圧ＶＤＤになる。ＣＰＵ１０ｄはこの電圧の変化に基づき前述の処理を実行する。なお、図１０（ａ）において周辺基板ＰＢで信号が折り返されてメイン基板１０に戻されていないが、これは接地線の表示を省略しているからであって、メイン基板１０、周辺基板ＰＢのワイヤハーネスに含まれる接地線により、信号がメイン基板１０に戻されていると解釈することもできる。
【００６７】
図１０（ｂ）は、メイン基板１０と周辺基板ＰＢの間に電流のループを構成し、電流が流れているかどうかでワイヤハーネスＷＨの取り外しを検出するものである。同図では、メイン基板１０のバックアップ電源（又は通常の電源ＶＤＤ）を周辺基板ＰＢへ直接送っている。周辺基板ＰＢで折り返されてメイン基板１０に戻された電流を抵抗Ｒと増幅器ＡＭＰで検出している。図１０（ｂ）では、発信回路１０ａは単なる電線で構成される。抵抗Ｒ及び増幅器ＡＭＰが検出回路１０ｂを構成する。ワイヤハーネスＷＨが取り外されていなければ、同図のループに電流が流れるので、抵抗Ｒの両端には電位差が生じている。これを増幅器ＡＭＰで取り出してＣＰＵ１０ｄへ送る。このとき送られる信号はＨレベルの信号である。ワイヤハーネスＷＨが取り外されると、抵抗Ｒに電流が流れないから、抵抗Ｒの両端の電位差はゼロになり、増幅器ＡＭＰの出力はＬレベルとなる。ＣＰＵ１０ｄはこの信号の変化に基づき前述の処理を実行する。
【００６８】
この発明の実施の形態１によれば、予め定められた信号を発信する発信回路と、前記発信回路の出力信号をワイヤハーネスを通して受けそれを検出する検出回路と、前記検出回路の出力に基づき予め定められた処理を実行する処理部と、少なくとも所定のフラグを保持する記憶部とを備えたので、前記検出回路によりワイヤハーネス又はそのコネクタを取り外したことを確実に検知できる。ワイヤハーネス又はそのコネクタの取り外しを検知したときは、エラー報知を行うことで不正行為を抑止することができる。また、特定の遊技者に利益を誘導することになる当選フラグをリセットさせることなどを通じて、不正行為を失敗に終わらせることができる。
【００６９】
発明の実施の形態２．
発明の実施の形態１は、メイン基板１０は、予め定められた信号を発信する発信回路１０ａと、発信回路１０ａの出力信号を検出する検出回路１０ｂとを設け、発信回路１０ａから周辺基板ＰＢへワイヤハーネスＷＨを通して信号を送出し、前記信号を周辺基板ＰＢで折り返してワイヤーハーネスＷＨを通してメイン基板１０へ戻し、これを検出回路１０ｂで検出するものであった。
【００７０】
これに対し、発明の実施の形態２は、発信回路１０ａを周辺基板ＰＢに設けたものである。図１１に発明の実施の形態２のブロック図を示す。図１１では、周辺基板ＰＢの発信回路１０ａからメイン基板１０へワイヤハーネスＷＨを通して信号が送出されているとともに、バックアップ電源２０５ａが周辺基板１０の発信回路１０ａにも供給されている。
【００７１】
発明の実施の形態２の動作は、発明の実施の形態１と同じなので、その説明は省略する。
【００７２】
図１２に、発明の実施の形態２に係る発信回路１０ａ及び検出回路１０ｂの最も簡単な例を示す。
【００７３】
図１２では、周辺基板ＰＢのバックアップ電源（又は通常の電源ＶＤＤ）をメイン基板１０へ送っている。周辺基板ＰＢからの電流を抵抗Ｒと増幅器ＡＭＰで検出している。図１２では、発信回路１０ａは単なる電線で構成される。抵抗Ｒ及び増幅器ＡＭＰが検出回路１０ｂを構成する。ワイヤハーネスＷＨが取り外されていなければ、電流が流れるので、抵抗Ｒの両端には電位差が生じている。これを増幅器ＡＭＰで取り出してＣＰＵ１０ｄへ送る。このとき送られる信号はＨレベルの信号である。ワイヤハーネスＷＨが取り外されると、抵抗Ｒに電流が流れないから、抵抗Ｒの両端の電位差はゼロになり、増幅器ＡＭＰの出力はＬレベルとなる。ＣＰＵ１０ｄはこの信号の変化に基づき前述の処理を実行する。
【００７４】
発明の実施の形態２に係る遊技機は、発明の実施の形態１のものと同様の作用効果を奏する。
【００７５】
また、発明の実施の形態１及び２に係る遊技機は、電源断時に、バックアップ電源から発信回路、検出回路、処理部及び記憶部に電力を供給するので、電源オン時のみならず電源オフ時においても、ワイヤハーネス又はそのコネクタの取り外しを検知することができる。
【００７６】
また、発明の実施の形態１及び２に係る遊技機は、電源投入のタイミングで前記フラグの有無をチェックし、ワイヤハーネス又はそのコネクタの取り外しがあったときに直ちに警報を発生し異常を報知するので、ホールの店員は当該遊技機の遊技の開始前に不正行為を察知することができ、当該不正行為による利益を与えることを未然に防止できる。
【００７７】
また、発明の実施の形態１及び２に係る遊技機は、バックアップ電源の劣化を監視する電圧低下検出器を備えるので、バックアップ電源の管理を適切に行うことができ、バックアップ電源の劣化により不正行為を検出できないという事態を避けることができる。
【００７８】
また、発明の実施の形態１及び２に係る遊技機は、不正行為検出時に記憶部の内容（当選フラグ）を初期化することで、いわゆる打ち込み（最初に来店した遊技者に利益を誘導するために、ホール閉店後に繰り返し遊技を実行し発生確率の低い当選役に当選させ、そのフラグを開店まで保持させること）を無駄に終わらせることができる。
【００７９】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００８０】
【図１】前扉を閉めた状態を示す遊技機（スロットマシン）の正面図である。
【図２】前扉を１８０度開いた状態を示す遊技機の正面図である。
【図３】遊技機のブロック図である。
【図４】発明の実施の形態１に係る発信回路と検出回路の信号系統を示すブロック図である。
【図５】発明の実施の形態１に係る電源オフ時のＣＰＵの処理フローチャートである（ワイヤハーネスの取り外しの有無を判定するもの）。
【図６】発明の実施の形態１に係る電源オン時のＣＰＵの処理フローチャートである。
【図７】発明の実施の形態１に係る動作説明図である。
【図８】発明の実施の形態１に係る電源オフ時のＣＰＵの処理フローチャートである（バックアップ電源の劣化を判定するもの）。
【図９】発明の実施の形態１に係る電源オン時のＣＰＵの処理フローチャートである（バックアップ電源の劣化を報知するもの）。
【図１０】発明の実施の形態１に係る発信回路及び検出回路の具体例を示す回路図である。
【図１１】発明の実施の形態２に係る発信回路と検出回路の信号系統を示すブロック図である。
【図１２】発明の実施の形態２に係る発信回路及び検出回路の具体例を示す回路図である。
【符号の説明】
【００８１】
１    メダルセレクタ（周辺基板）
１０    メイン基板
１０ａ  発信回路
１０ｂ  検出回路
１０ｃ  ＲＡＭ（記憶部）
１０ｄ  ＣＰＵ（処理部）
１０ｆ  電圧低下検出器
８２    メダル検出部（周辺基板）
２０５ａ  バックアップ電源
ＰＢ    周辺基板
ＳＷ    スイッチ又はセンサ
ＳＷＢ  スイッチ基板（周辺基板）
ＷＨ    ワイヤハーネス
【図１】
2008142483.tif 000003
【図２】
2008142483.tif 000004
【図３】
2008142483.tif 000005
【図４】
2008142483.tif 000006
【図５】
2008142483.tif 000007
【図６】
2008142483.tif 000008
【図７】
2008142483.tif 000009
【図８】
2008142483.tif 000010
【図９】
2008142483.tif 000011
【図１０】
2008142483.tif 000012
【図１１】
2008142483.tif 000013
【図１２】
2008142483.tif 000014